【事件の表示】
　特許第２８９４６０７号「ベッド」の請求項１ないし３に係る特許に対する特許異議の申立てについて、次のとおり決定する。
【結　論】
　訂正を認める。
　特許第２８９４６０７号の請求項１ないし３に係る特許を維持する。
【理　由】
１．本件は、特許第２８９４６０７号の特許請求の範囲の【請求項１〜３】に係る発明についての特許を取り消すことを請求して提起された異議申立事件に存する。
　　
２．本件の手続きの経緯の概要は、以下のとおりである。
　１）出願日：平成１０年３月３０日
　２）特許日：平成１１年３月５日
　３）公報発行：平成１１年５月２４日　
　４）異議申立：平成１１年１０月２６日多田　智より特許異議の申立
　５）取消理由：平成１２年２月２３日付けで当審より取消理由の通知
　６）訂正請求：平成１２年４月２４日権利者より意見書の提出と訂正請求
　
３．そこで、上記訂正請求が、法の趣意に適合するか否かにつき審案する。
１）訂正請求の内容は、以下のとおりである。
ｉ）【特許請求の範囲】の記載に関して、
　「【請求項１】マットレスとこのマットレスを載置するベッド枠を備えたベッドであって、前記マットレスの一方の長辺側を前記ベッド枠に上方へ回動可能に組付けるとともに前記マットレスを前記ベッド枠にダンパーステーを介して連結し、かつマットレスの上方への回動により開放される開口を前記ベッド枠に形成したことを特徴とするベッド。
【請求項２】前記マットレスを前記ベッド枠に解除可能にロックするロック金具を設けたことを特徴とする請求項１に記載のベッド。
【請求項３】前記ベッド枠にキャスターを取付けたことを特徴とする請求項１，叉は２に記載のベッド。」を、
『【請求項１】　マットレスとこのマットレスを載置するベッド枠を備えたベッドであって、前記マットレスの一方の長辺側を前記ベッド枠に上方へ回動可能に組付けるとともに前記マットレスを前記ベッド枠にダンパーステーを介して連結し、かつマットレスの上方への回動により開放される開口を前記ベッド枠に形成し、該開口を通してベッド直下の床を掃除できるようにしたことを特徴とするベッド。
【請求項２】　前記マットレスを前記ベッド枠に解除可能にロックするロック金具を設けたことを特徴とする請求項１に記載のベッド。
【請求項３】　前記ベッド枠にキャスターを取付けたことを特徴とする請求項１，叉は２に記載のベッド。』
と訂正し、
ｉｉ）　「明細書の段落番号【０００４】の記載」を、
　『【課題を解決するための手段】
　請求項１に記載の発明は、マットレスとこのマットレスを載置するベッド枠を備えたベッドであって、前記マットレスの一方の長辺側を前記ベッド枠に上方へ回動可能に組付けるとともに前記マットレスを前記ベッド枠にダンパーステーを介して連結し、かつマットレスの上方への回動により開放される開口を前記ベッド枠に形成し、該開口を通してベッド直下の床を掃除できるようにしたことを特徴とする。
　請求項２に記載の発明は請求項１に記載のベッドにおいて、前記マットレスを前記ベッド枠に解除可能にロックするロック金具を設けたことを特徴とする。
　請求項３に記載の発明は請求項１叉は２に記載のベッドにおいて、前記ベッド枠にキャスターを取付けたことを特徴とする。』と、
訂正することを、
請求するにある。
２）　訂正事項ｉ）の適否の判断
（１）　この訂正の内容は、特許請求の範囲【請求項１】において、
 別途「該開口を通してベッド直下の床を掃除できるようにした」を介入させるもので、もともと明細書の段落番号【０００５】内に存した事項であるから、明細書の記載の範囲内のものであり、特許請求の範囲の技術的内容をより特定することとなるから特許請求の範囲の減縮となるものと捉えられる。
  なお、この訂正により特許請求の範囲を実質上拡張したり変更したりするものにはあたらないというべきである。
（２）　そこで、この訂正後の【請求項１〜３】に係る発明が、出願の際、独立して特許を受けることができるか否かにつき審案する。
   　［刊行物の記載内容］
イ）　第１刊行物：「実願昭６３−１０５８５７号（実開平２−２６５４８号）のマイクロフィルム」には、以下の事項が、図面とともに記載されている。
　「第１図はこの考察の第１実施例を示す図である。　図中符号１は基台であり外形はへッドボード６を有する通常のベッドの形に構成されるが、内部ｌａは上部開放の箱状に構成される。
　この基台１の上部には蓋体２がベッドの巾方向に開閉自在なように一側をヒンジ３により固定される。
　この蓋体２と基台１間にはバネ４が蓋体を開放方向に附勢するように介在される。
　このバネの附勢力はこの実施例では蓋体にマットレスＭを載せた状態の荷重よりやや少なめに設定して人力による開放の補助としているが、これより多め、即ち蓋体を完全に撥ね上げる程度に設定してもよく、この場合は蓋体を被蓋状態で固定するための適宜ロック装置（図示せず）が必要となる。
　又、バネはこの実施例ではガススプリングを使用しているが、例えば圧縮コイルバネ等他のバネでもよいことは勿論である。」
 （明細書第４頁第２行〜２０行目）
ロ）　第２刊行物：「実願昭６１−１４２４５７号（実開昭６３−４７７５１号）のマイクロフィルム」には、以下の事項が、図面とともに記載されている。
　「次に、ストッパー装置（６）は、収納箱（１）と床板（２）のフッド側に位置し、第２図に示すように、床板（２）を下まで下ろした水平状態で係止可能としてあり、床板（２）上からマットレス（３）を取り除いた際のスプリング（５）による床板（２）の上方への回動起上力を止めるものである。　第３図に示したものは、ストッパー装置（６）の一実施例であり、係止ピン（７）を有したプレート（８）と回動ツマミ（９）により回動する回動爪（１０）を有したストッパー本体（１１）よりなるもので、プレート（８）を床板（２）の下面に、ストッパー本体（１１）を収納箱（１）に取付けるものである。」（明細書第４頁第５行〜１８行目）
ハ）　第３刊行物　：「実願平１−３６３５７号（実開平２−１２７２６２号）のマイクロフィルム」には、以下の記載が、図面（第１図〜第９図：何れにもキャスターが、開示）とともに記載されている。
　「縦長平板でかつその長手方向に複数の取付け孔を有する取付け壁と、該取付け壁下端から垂直に立ち上がる底壁と、該底壁の側端と前記取付け壁の側壁に連接する側壁とから形成される取付け金具本体と、前記底壁の下方に取付けられるキャスターとから成るベッド用キャスター取付け装置。」（実用新案登録請求の範囲）
（３）　対比・判断
（一）．　訂正後の【請求項１】に係る発明と、上記第１刊行物に記載された発明とを比較検討すると、
　第１刊行物に記載された「マットレス（蓋体含む）」、「基台」は、本件訂正後の【請求項１】に係る発明の「マットレス」、「ベッド枠」に相当していることは、明らかである。そして、第１刊行物に記載の「一側」は、図示（第１図）の態様に徴し、ベッド枠及びマットレス（マットレス付蓋体）の長辺側を含意しているものである。
　また、第１刊行物に記載の「ヒンジ３」は、「上記マットレスの一方の長辺側を、ベッド枠に上方に回動可能に組付ける」機能を実現している。
　　さらに、第１刊行物に記載の「バネ４（バネは、ガススプリング、圧縮コイルバネ等をも包括し得る）」は、機能と構成上、本件訂正後の【請求項１】に係る発明のダンパーステーに相当していることも、明らかに是認されるところである。
　　またさらに、第１刊行物に記載のベッドは、図示の態様・明細書の記載｛「上部開放の箱状に構成される。」、「ベッドとベッド枠間にはダンパーステー４がマットレスを開放方向に附勢する」等の記載｝並びに機能に徴し、
　「上方への回動により開放される開口を、ベッド枠に形成した」を、実現していることは明らかというべきである。
　以上のとおりであるから、第１刊行物には、
　「マットレスとこのマットレスを載置するベッド枠を備えたベッドであって、前記マットレスの一方の長辺側を前記ベッド枠に上方へ回動可能に組付けるとともに前記マットレスを前記ベッド枠にダンパーステーを介して連結し、かつマットレスの上方への回動により開放される開口を前記ベッド枠に形成したベッド。」
　が、記載されていると捉えられる。この点において、両発明は一致しているものというべきである。
　しかしながら、訂正後の【請求項１】に係る発明は、
 「該開口を通してベッド直下の床を掃除できるようにした」点の構成を具備するのに対して、第１刊行物に記載の発明は、斯かる構成部分を欠如している点において相違するものである。
　そこで、この相違点につき、審案する。
　第１刊行物に記載されたベッドは、家具スペースの有効利用という観点から、ベッド枠を含む基台が箱状を呈しておるところ、このものを利用して布団等の物の出し入れに供することを眼目としており、床を清掃するという意図は、存しなかったというべきである。
　蓋し、基台の内部１ａには、底が存在しており（第２図図示の態様参照）、開口を開放しても、該開口直下には、底があるため、床は存在せず、そのために直下の床を掃除することができないからである。
　そして、この点により、本件訂正後の【請求項１】に係る発明は、
ａ）　「請求項１に係る発明によれば、マットレスの上方への回動によりベッド枠の開口が開放されるので、この開口を通してベッド直下の床を掃除できる。このため、ベッド直下の床掃除に際し、いちいちベッドをベッド直下の床が露出する位置まで移動させる必要がないので床掃除が容易になる。
　とりわけ本発明によれば、マットレスの一方の長辺側をベッド枠に回動可能に組付けたので、他方の長辺側をさほど高く持ち上げなくてもベッド枠の開口を開放することができ、マットレスの回動操作が容易である。また、マットレスとベッド枠をダンパーステーを介して連結したので、マットレスを回動操作するときダンパーステーがバランサーとして機能し、マットレスが円滑に回動する。このため、年輩者や女性でも簡単、容易にマットレスを回動操作して床掃除を行うことができる。」（明細書段落番号【０００５】前・中段の記載参照）
ｂ）   「ベッド１０の真下の床を掃除するにはベッド１０を壁際から少し移動させ、ロック金具３８のフックプレート３８ｂを回動操作してリブ受け２８から外し、マットレス３０の反ストッパー３６側の長辺端部を持ち上げて上方へ回動し、ベッド枠２０の開口２０ａを開放し、この開口２０ａから掃除機の吸引口を入れて掃除する。このように、ベッド１０直下の床掃除に際し、いちいちベッド１０を全く別の位置へ移動させる必要がないので床掃除が容易に実施できる。」（明細書段落番号【００１０】参照）
という特有の効果を、発揮するものである。
　他方、第１刊行物に記載の発明を以ては、斯様な効果を、期待することができない。
　 したがって、訂正後の【請求項１】に係る発明は、前掲第１刊行物に記載された発明であるとは認められないばかりか、このものに基づいて当業者が容易に想到することができたものと認めることもできない。
　それ故、本件訂正後の【請求項１】に係る発明は、出願の際、独立して特許を受けることができるものというべきである。
（二）．　本件訂正後の【請求項２】に係る発明について
　本件訂正後の【請求項２】に係る発明は、上記訂正後の【請求項１】に係る発明を基本的構成要件として、さらに、
　「前記マットレスを前記ベッド枠に解除可能にロックするロック金具を設けた」点の構成要件を付加するものである。
　なるほど、斯界において、「マットレスをベッド枠に解除可能にロックするロック金具を設ける」ことは、普通に知悉されているとしても（前掲第２刊行物の記載参照）、その前提となる基本的構成要件である訂正後の【請求項１】に係る発明自体が、前掲第１刊行物に記載された発明から容易に想到することができたものと認めることができないところ、これをより特定する本件訂正後の【請求項２】に係る発明につき、前掲第１、第２の各刊行物に記載された発明の存在をもっては、当業者予測可能性の限りを超越していると認める外はないというべきである。
　本件訂正後の【請求項２】に係る発明は、その構成要件により明細書に記載されたとおりの効果を奏するものである（明細書段落番号【０００５】【００１０】【００１２】参照）。
　他方、第１、第２の各刊行物に記載された発明を総合したものからは、上記本件訂正後の【請求項２】に係る発明の如き効果は、期待することができない。
　したがって、本件訂正後の【請求項２】に係る発明につき、前掲第１、第２の各刊行物に記載された発明に基づいて当業者が容易に想到することができたものとすることはできない。
　それ故、本件訂正後の【請求項２】に係る発明について、出願の際独立して特許を受けることができるものというべきである。
（三）．　本件訂正後の【請求項３】に係る発明について
　本件訂正後の【請求項３】に係る発明についても、同【請求項２】に係る発明と同様、訂正後の【請求項１】に係る発明を基本的構成要件とし、若しくは【請求項２】に係る発明をベースとし、その上でさらに、「前記ベッド枠にキャスターを取付けた」点の構成部分を付加するものである。
 したがって、ベッド枠にキャスターを取り付けることが斯界において周知であるとしても（前掲第３刊行物の記載）、そもそも、基本となる構成要件である訂正後の【請求項１】に係る発明につき、前掲第１刊行物に記載された発明に基づいて容易に想到することができたものとは認められないものであるところ、このものをさらに特定する本件訂正後の【請求項３】に係る発明については、なおさら、前掲第１、第３の各刊行物に記載された発明若しくは、前掲第１、第２、第３の各刊行物に記載された発明の存在下においても、当業者の予測可能性の限りを越えているものというべきである。
　本件訂正後の【請求項３】に係る発明は、その構成要件により、明細書に記載されたとおりの効果を奏するものである（明細書段落番号【０００５】【０００７】参照）。
  他方、前記第１，第３の各刊行物記載の発明の組合せ若しくは、前掲第１、第２、第３の各刊行物に記載された発明の組合せを以ては、斯かる訂正後の【請求項３】に係る発明の如き効用は、期待することができない。
　したがって、本件訂正後の【請求項３】に係る発明につき、前掲第１、第３の各刊行物の記載された発明に基づいて、又は、前掲第１、第２、第３の各刊行物に記載された発明に基づいて、当業者が容易に想到することができたものとは認められない。
　それ故、本件訂正後の【請求項３】に係る発明は、出願の際独立して特許を受けることができるものというべきである。
３）　訂正事項ｉｉ）の適否の判断
 この訂正事項は、もともと、明細書の段落番号【０００５】に記載されており、先の訂正事項ｉ）における特許請求の範囲【請求項１】の記載と整合させるべく訂正したもので、出願当初の明細書の記載の範囲内のもので、明りょうでない記載の釈明に該当し、この訂正により、特許請求の範囲を拡張し若しくは変更するものではないから、適法なものという外はない。
４）　以上のとおりであるから、本件訂正請求は、訂正事項の全てに亘って、特許法第１２０条の４第２項の規定並びに同法同条第３項の規定において準用する同法第１２６条第２項〜４項の規定に適合しており、適法なものというべきであるから、認容する外はない。
　
４．異議申立人の主張
  特許異議申立人は、証拠方法として、
（１）甲第１号証：「実願昭６３−１０５８５７号（実開平２−２６５４８号）のマイクロフィルム」（「第１刊行物」に同じ）
（２）甲第２号証：「実願平５−１８５５号（実開平６−５８７６１号）のＣＤ−ＲＯＭ」
（３）甲第３号証：「特開平８−２９９１０６号公報」
（４）甲第４号証：「実開昭６１−１４２４５７号（実開昭６３−４７７５１号）のマイクロフィルム」（「第２刊行物」に同じ）
（５）甲第５号証：「実願昭１−３６３５７号（実開平２ −１２７２６２号）のマイクロフィルム」（「第３刊行物」に同じ）
を、提出し、
　「本件特許請求項１の構成は、甲第１号証に記載されたベッドに、このベッドの基台に代えて甲第２号証に記載されたフレームの構成を用い、更に甲第３号証に記載されたベッド本体を幅方向に回動上昇させてベッド本体によって覆われた空間部を開放させ、空間部の清掃を容易に行う事ができるようにするという技術思想を組み合わせれば容易に為し得る発明である。
　請求項２の構成は、甲第１号証に記載されたベッドに、甲第２号証、甲第 ３号証に記載された構成を組み合わせ更に、甲第４号証に記載された、床板が水平状態の際に起上回動しないように静止状態に保つためのストッパー装置をベッドに取り付けるという構成を組み合わせることにより容易に為し得る構成である。
　請求項３の構成は、甲第１号証に記載されたベッドに甲第２号証乃至甲第４号証に記載された構成を組み合わせ、更に甲第５号証に記載されたベッドにキャスターを取り付けてベッドを移動可能にするという構成を組み合わせることにより容易に為し得る構成である。
　　従って、本件特許の各請求項の構成は特許法第２９条第２項の規定に該当し、特許が取り消されるべきでる。」
旨主張する。
　
５．　当審の判断
１）　本件訂正後の【請求項１】に係る発明については、訂正請求の適否の判断における所謂独立特許要件性の審案過程において充分審理したとおり、取り消し理由通知において挙示した主要な公知文献たる第１刊行物に記載された発明を以ては、訂正後の【請求項１】に係る発明につき所謂進歩性を否定することができず、その受けた特許を取り消すことができないむね審示した。　
　尚、附言するに、当審の取消理由の通知には、申立人の提出に係る甲第２、第３各号証の刊行物は引用するには及ばなかったが、
　上記甲第２号証刊行物に記載の発明は、マットレスの一方の長辺側をベッド枠に回動可能に組付けたものであるかは定かではなく、またダンパーステーを具備していず、人手を介し上昇させ単に支持ロッドで支えるもので、専らマットレスの乾燥を目途とするものであって、ベッド枠の開口を通じて人為的な動作を行うことに馴染まず、該開口を通じてベッド直下の床を掃除できるようにしたという目的的解決課題を担うものではなく、本件訂正後の【請求項１】に係る発明とは大幅に懸隔するものである。
　他方、同甲第３号証の刊行物に記載の発明は、抑もマットレスとベッド枠とは、回動可能に組付けられてはいないところ、マットレスとベッド枠とは一体となって回動・転動するものであるから、ベッド枠に形成した開口を通じてベッド直下の床下を清掃できるものではなく、本件訂正後の【請求項１】に係る発明の構成とは懸隔し、発想の様相を大幅に異にするものである。
   それ故、先の第１刊行物に記載された発明に、申立人の提出に係る甲第２、第３各号証の刊行物に記載された発明を総合勘案しても、なお、本件訂正後の【請求項１】に係る発明につき、その所謂進歩性を否定することはできず、その特許を取り消すことはできないものである。
２）　訂正後の特許請求の範囲【請求項２〜３】に係る発明について
　訂正後の【請求項２〜３】に係る発明は、上記訂正後の【請求項１】に係る発明に別途構成要素が付加されているところ、発明の構成要件をより特定するものである。
   上記のとおり、訂正後の【請求項１】に係る発明につき、所謂進歩性を否定することを得ないものであるところ、ましてこれ等構成要件を特定する訂正後の【請求項２〜３】に係る発明について、なお、所謂進歩性を否定することができず、これ等につき受けた特許につき、取り消すことができないというべきである。
　
６．　以上のとおりであるから、異議申立人の主張する理由及び提出した証拠を以てしては、本件訂正後の【請求項１〜３】に係る発明につき受けた特許を取り消すことはできない。
　なお、外に本件訂正後の【請求項１〜３】に係る発明の特許を、取り消すべき理由を発見しない。
  よって、結論のとおり決定する。
【異議決定日】
平成１３年２月２２日（２００１．２．２２）
【訂正の要旨】
訂正の要旨
▲１▼特許請求の範囲を次のとおり訂正する。
「【特許請求の範囲】
　【請求項１】　マットレスとこのマットレスを載置するベッド枠を備えたベッドであって、前記マットレスの一方の長辺側を前記ベッド枠に上方へ回動可能に組付けるとともに前記マットレスを前記ベッド枠にダンパーステーを介して連結し、かつマットレスの上方への回動により開放される開口を前記ベッド枠に形成し
、該開口を通してベッド直下の床を掃除できるようにし
　【請求項２】　前記マットレスを前記ベッド枠に解除可能にロックするロック金具を設けたことを特徴とする請求項１に記載のベッド。
　【請求項３】　前記ベッド枠にキャスターを取付けたことを特徴とする請求項１，叉は２に記載のベッド。」
▲２▼明細書の段落【０００４】の内容を次の通り訂正する。
　【０００４】
　【課題を解決するための手段】
　請求項１に記載の発明は、マットレスとこのマットレスを載置するベッド枠を備えたベッドであって、前記マットレスの一方の長辺側を前記ベッド枠に上方へ回動可能に組付けるとともに前記マットレスを前記ベッド枠にダンパーステーを介して連結し、かつマットレスの上方への回動により開放される開口を前記ベッド枠に形成し
、該開口を通してベッド直下の床を掃除できるようにし
　請求項２に記載の発明は請求項１に記載のベッドにおいて、前記マットレスを前記ベッド枠に解除可能にロックするロック金具を設けたことを特徴とする。
　請求項３に記載の発明は請求項１叉は２に記載のベッドにおいて、前記ベッド枠にキャスターを取付けたことを特徴とする。
（５４）【発明の名称】
ベッド
（５７）【特許請求の範囲】
　【請求項１】　マットレスとこのマットレスを載置するベッド枠を備えたベッドであって、前記マットレスの一方の長辺側を前記ベッド枠に上方へ回動可能に組付けるとともに前記マットレスを前記ベッド枠にダンパーステーを介して連結し、かつマットレスの上方への回動により開放される開口を前記ベッド枠に形成し
、該開口を通してベッド直下の床を掃除できるようにし
　【請求項２】　前記マットレスを前記ベッド枠に解除可能にロックするロック金具を設けたことを特徴とする請求項１に記載のベッド。
　【請求項３】　前記ベッド枠にキャスターを取付けたことを特徴とする請求項１，叉は２に記載のベッド。
【発明の詳細な説明】
　【０００１】
　【発明の属する技術分野】
　本発明はベッドに関し、より詳しくはビジネスホテルの客室に設置するに好適なベッドに関する。
　【０００２】
　【従来の技術】
　一般に、ビジネスホテルの客室に設置されるベッドは箱型のベッド枠にマットレスを載置した簡易な構成のものを採用し、客室スペースの有効利用を図るため壁際に設置されている。
　【０００３】
　【発明が解決しようとする課題】
　ところで、ビジネスホテルの日常業務において、客室清掃作業の一環としてベッドの直下をきれいに掃除しようとすると、ベッドを通常設置されている壁際からベッド直下の床が露出する位置へ移動させる必要がある。
　また、ベッドメーキング作業を行う場合にあっても、係りの者がベッドと壁の間に入ってシーツの取付作業等ができるようにベッドを壁際から引き離す必要がある。
　しかし、年輩者や女性にとっては重いベッドを壁際から引きずって移動させる作業は重労働である。また、客室スペースが限られているので、ベッドの直下を掃除するに十分な距離だけ壁際から離すことが困難である。
　本発明はかかる問題点に鑑み、ベッドの直下の清掃作業やベッドメーキング作業が容易に実施できるベッドを提供することを目的とする。
　【０００４】
　【課題を解決するための手段】
　請求項１に記載の発明は、マットレスとこのマットレスを載置するベッド枠を備えたベッドであって、前記マットレスの一方の長辺側を前記ベッド枠に上方へ回動可能に組付けるとともに前記マットレスを前記ベッド枠にダンパーステーを介して連結し、かつマットレスの上方への回動により開放される開口を前記ベッド枠に形成し
、該開口を通してベッド直下の床を掃除できるようにし
　請求項２に記載の発明は請求項１に記載のベッドにおいて、前記マットレスを前記ベッド枠に解除可能にロックするロック金具を設けたことを特徴とする。
　請求項３に記載の発明は請求項１叉は２に記載のベッドにおいて、前記ベッド枠にキャスターを取付けたことを特徴とする。
　【０００５】
　【発明の作用・効果】
　請求項１に係る発明によれば、マットレスの上方への回動によりベッド枠の開口が開放されるので、この開口を通してベッド直下の床を掃除できる。このため、ベッド直下の床掃除に際し、いちいちベッドをベッド直下の床が露出する位置まで移動させる必要がないので床掃除が容易になる。
　とりわけ本発明によれば、マットレスの一方の長辺側をベッド枠に回動可能に組付けたので、他方の長辺側をさほど高く持ち上げなくてもベッド枠の開口を開放することができ、マットレスの回動操作が容易である。また、マットレスとベッド枠をダンパーステーを介して連結したので、マットレスを回動操作するときダンパーステーがバランサーとして機能し、マットレスが円滑に回動する。このため、年輩者や女性でも簡単、容易にマットレスを回動操作して床掃除を行うことができる。
　請求項２に記載の発明によれば、ロック金具を設けたので、宿泊客がベッドを使用するときマットレスが不用意に上方へ回動するのを確実に防止できる。
　請求項３に記載の発明によれば、ベッド枠にキャスターを取付けたので、ベッドを簡単に窓際から移動させることができ、ベッドメーキング作業が容易になる。
　【０００６】
　【発明の実施の形態】
　以下に本発明を図面に基づき説明するに、図１ないし図３には本発明の一実施形態に係るベッド１０が示されている。当該ベッド１０はベッド枠２０と、このベッド枠１０に載置したマットレス３０を備えている。
　ベッド枠２０は一対の短寸角パイプ材２１，２２と一対の長寸角パイプ材２３，２４を４角形に連結して長方形の開口２０ａを区画形成し、４隅に脚片２５を垂設し、各脚片２５の下端部にキャスター２６を取付けている。ベッド枠２０の寸法は縦、横いずれも図３に示すようにマットレス３０の寸法より小さく設定されている。
　【０００７】
　マットレス３０は合板製のボトム板３１とクッション３２から成り、ボトム板３１の表面を布３３で被い、クッション３２は摩擦でずれないようにボトム板３１に載置されている。ボトム板３１は３組のヒンジ３４でベッド枠２０の一方の長寸角パイプ材２３に上方へ回動可能に組付けら、かつベッド枠２０の短寸角パイプ材２１，２２にダンパーステー３５を介して連結されている。このダンパーステー３５は高圧の不活性ガス叉はオイルを充填したシリンダー３５ａにピストンロッド３５ｂを伸縮自在に組込んだ、周知の構造を有し、シリンダー３５ａの一端をボトム板３１に回動可能に連結し、ピストンロッド３５ｂの先端をベッド枠２０の短寸角パイプ材２１，２２に回動可能に連結している。
　【０００８】
　ボトム板３１の一方の長辺端部にはマットレス３０を上方へ回動したときクッション３２がボトム板３１からずり落ちるのを防止するためストッパープレート３６が固着されている。ボトム板３１の裏面中央部には補強用の木製リブ３７が固着され、ベッド枠２０の長寸角パイプ材２３，２４にはマットレス３０をベッド枠２０に倒伏したときリブ３７の端部を支持するリブ受け２８，２９が固着されている。
　リブ３７の反ヒンジ３４側端部にはマットレス３０をベッド枠２０に解除可能にロックするロック金具３８が設けられている。ロック金具３８はリブ３７に固定したブラケット３８ａと、ブラケット３８ａに回動可能に組付けられマットレス３０をベッド枠２０に倒伏したときリブ受け２８に離脱可能に係合するフックプレート３８ｂを備えている。
　【０００９】
　本実施形態に係るベッド１０の構造は以上の通りであって、ベッド１０のヒンジ３４側の端部が客室の壁に接するように壁際に設置して客室のスペースを有効に活用し、ベッドメーキング作業や床掃除を行うときにはベッド１０のヒンジ３４側の端部を客室の壁から少しだけ引き離す。ベッド枠２０の脚片２５にはキャスター２６が取付けられているので、簡単にベッド１０全体を移動させることができる。
　【００１０】
　ベッド１０の真下の床を掃除するにはベッド１０を壁際から少し移動させ、ロック金具３８のフックプレート３８ｂを回動操作してリブ受け２８から外し、マットレス３０の反ストッパー３６側の長辺端部を持ち上げて上方へ回動し、ベッド枠２０の開口２０ａを開放し、この開口２０ａから掃除機の吸引口を入れて掃除する。このように、ベッド１０直下の床掃除に際し、いちいちベッド１０を全く別の位置へ移動させる必要がないので床掃除が容易に実施できる。
　【００１１】
　とりわけ本実施形態に係るベッド１０は、マットレス３０の一方の長辺側をベッド枠２０に回動可能に組付けたので、他方の長辺側をさほど高く持ち上げなくてもベッド枠２０の開口２０ａを開放することができ、マットレス３０の回動操作が容易である。また、マットレス３０とベッド枠２０をダンパーステー３５を介して連結したので、マットレス３０を上方へ回動操作するときダンパーステー３５がバランサーとして機能し、軽く力を加えるだけでマットレス３０が円滑に回動し、年輩者や女性でも簡単に回動させることができる。
　【００１２】　床掃除終了後は、マットレス３０を押し下げてベッド枠２０に倒伏させる。このときもダンパーステー３５がバランサーとして作用するので、マットレス３０が急激に倒伏することはなく安全に作業を行える。倒伏したマットレス３０はフックプレート３８ｂをリブ受け２８に係合させてロックする。このようにロック金具３８でマットレス３０をベッド枠２０にロックできるので、宿泊客がベッド１０を使用するときマットレス３０が不用意に上方へ回動するのを確実に防止できる。
【図面の簡単な説明】
　【図１】　本発明の一実施形態に係るベッドを示す側面図である。
　【図２】　同ベッドを示す一部破断した平面図である。
　【図３】　図２の３−３線から切断した、ベッドの作動を説明する断面図である。
　【符号の説明】
１０…ベッド、２０…ベッド枠、２０ａ…開口、２１，２２…短寸角パイプ材、２３，２４…長寸角パイプ材、２５…脚片、２６…キャスター、３０…マットレス、３１…ボトム板、３２…クッション、３４…ヒンジ、３５…ダンパーステー、３６…ストッパープレート、３７…リブ、３８…ロック金具。